(57)【要約】      （修正有）【課題】避難場所でのプライバシーを確保しつつ居住スペースの構築を実現する段ボール製パーテーションを提供する。【解決手段】段ボール製パーテーション１は、長方形状で短辺の一端中央から他端側に向けて差し込み凹溝穴をそれぞれ設けた柱材２と支柱材３とを、差し込み凹溝穴同士を十字状に嵌め合わせることで形成した所要数の支柱体４と、柱材、支柱材各々の両長辺側に偏在する状態で、かつ、間隔をおいて表裏配置に取り付けた所要数の面ファスナー（雄）６と、間隔を隔て起立状態に配置した隣り合う支柱体間を連結するとともに、四角形状で中央折り線部を設けるとともに、中央折り線部と平行な両辺部側に偏在させ、かつ、支柱体複数個を間隔を隔て起立状態に配置したとき、支柱体における柱材又は支柱材に表裏配置に取り付けた面ファスナー（雄）に対応する間隔、配置となる表裏配置の面ファスナー（雌）１３を備える壁面板材１１とを有する。【選択図】図１
0003230507.tif 000002
【実用新案登録請求の範囲】
【請求項１】
段ボール素材からなる段ボール製パーテーションであって、
長方形状で短辺の一端中央から他端側に向けて差し込み凹溝穴を設けた柱材と、長方形状で短辺の一端中央から他端側に向けて差し込み凹溝穴を設けた支柱材と、を前記差し込み凹溝穴同士を十字状に嵌め合わせることで形成した所要数の支柱体と、
前記柱材、支柱材各々の両長辺側に偏在する状態で、かつ、間隔をおいて表裏配置に取り付けた所要数の面ファスナーと、
間隔を隔て起立状態に配置した隣り合う前記支柱体間を連結する壁面板材であって、四角形状で中央折り線部を設けるとともに、前記中央折り線部と平行な両辺部側に偏在させ、かつ、前記支柱体複数個を、間隔を隔て起立状態に配置したとき、前記支柱体における柱材又は支柱材に表裏配置に取り付けた前記面ファスナーに対応する間隔、配置となる表裏配置の面ファスナーを備える壁面板材と、
を有し、
前記支柱体の起立配置個数、壁面板材の採用個数により、これらの個数に応じた所望個数の仕切り空間を形成するように構成したことを特徴とする段ボール製パーテーション。
【請求項２】
前記支柱体４個と、前記壁面板材４個とにより、１間口の仕切り空間を形成するように構成したことを特徴とする請求項１記載の段ボール製パーテーション。
【請求項３】
前記支柱体１８個と、前記壁面板材２７個とにより、１０間口の仕切り空間を形成するように構成したことを特徴とする請求項１記載の段ボール製パーテーション。
【請求項４】
前記各仕切り空間の共有となる壁面板材を、面ファスナー分離により除去することにより、個々の間口面積の拡張が可能であることを特徴とする請求項１又は３に記載の段ボール製パーテーション。
【請求項５】
前記支柱体、前記壁面板材間における面ファスナーの接合は、前記壁面板材のロック機能を発揮するものである請求項１乃至４のいずれか１項に記載の段ボール製パーテーション。
【請求項６】
前記段ボール製パーテーションは、強化段ボール素材と一般段ボール素材とをもって形成したことを特徴とする請求項１乃至５のいずれか１項に記載の段ボール製パーテーション。
【考案の詳細な説明】
【技術分野】
【０００１】
本考案は、（一部又は全部を強化段ボールで形成した）段ボール製パーテーションに関するものであり、詳しくは、災害発生時における体育館、公民館等のような各種避難場所に緊急避難用具として設置でき、かつ、組み立て、分解が極めて簡略である段ボール製パーテーションに関するものである。
【背景技術】
【０００２】
強化段ボール等の段ボール材は、その組み立て容易性、加工容易性、廃棄容易性等の観点から例えば大地震、台風等の災害発生時の際の緊急時対策物資である間仕切り用部材として実用化されている。
【０００３】
例えば、特許文献１には、本願の出願人が先に提案し実用新案登録を取得した強化段ボール製の簡易パーテーションであって、強化段ボール製の簡易パーテーションであって、長方形状で短辺の一端中央から他端側に向けて差し込み凹溝穴を設けた同一形状の２個の連結差し込み部材を重合するとともに、その間に前記差し込み凹溝穴内領域に突出することなく固着状態でスペーサ材を挟み込んで、２個の連結差し込み部材の各長辺部分の間に前記スペーサ材の長辺端面部を底とする仕切り壁材用の差し込み凹部を形成することにより連結材を構成し、２個の連結材を十字状配置に差し込み連結して構成した強化段ボール材からなる十字状連結具と、前記十字状連結具の各長辺部分の差し込み凹部に差し込み用辺部を差し込む四角形板状で所要の表面積を有する強化段ボール材からなる仕切り壁材と、を有し、所要個数の十字状連結具と、所要個数の仕切り壁材との差し込み連結により、これらの使用個数に応じた所望面積の仕切り空間を形成するように構成した強化段ボール製の簡易パーテーションが開示されている。
【０００４】
しかし、特許文献１の強化段ボール製の簡易パーテーションの場合、所要個数の十字状連結具と、所要個数の仕切り壁材との差し込み連結により、これらの使用個数に応じた所望面積の仕切り空間を形成するように構成したものであり、所望面積の仕切り空間の形成を主体としたものであり、避難場所でのプライバシーを確保しつつ居住スペースの構築の点については不十分であると推定される。
【先行技術文献】
【特許文献】
【０００５】
【特許文献１】登録実用新案第３１７７３２２号公報
【考案の概要】
【考案が解決しようとする課題】
【０００６】
本考案は、上記従来の事情に鑑みて開発されたものであり、避難場所でのプライバシーを確保しつつ居住スペースの構築を実現し得る段ボール製パーテーションを提供するものである。
【課題を解決するための手段】
【０００７】
本考案は、一部又は全部を強化段ボールで形成した段ボール製の段ボールパーテーションであって、長方形状で短辺の一端中央から他端側に向けて差し込み凹溝穴を設けた柱材と、長方形状で短辺の一端中央から他端側に向けて差し込み凹溝穴を設けた支柱材と、を前記差し込み凹溝穴同士を十字状に嵌め合わせることで形成した所要数の支柱体と、前記柱材、支柱材各々の両長辺側に偏在する状態で、かつ、間隔をおいて表裏配置に取り付けた所要数の面ファスナーと、間隔を隔て起立状態に配置した隣り合う前記支柱体間を連結する壁面板材であって、四角形状で中央折り線部を設けるとともに、前記中央折り線部と平行な両辺部側に偏在させ、かつ、前記支柱体複数個を間隔を隔て起立状態に配置したとき、前記支柱体における柱材又は支柱材に表裏配置に取り付けた前記面ファスナーに対応する間隔、配置となる表裏配置の面ファスナーを備える壁面板材と、を有することを最も主要な特徴とする。
【考案の効果】
【０００８】
請求項１記載の考案によれば、災害発生時における体育館、公民館等のような各種避難場所に緊急避難用具として任意数の間口を有する構成で設置することにより、避難場所での居住者のプライバシーを確保しつつ好適な居住スペースの効率の良い構築が可能であり、かつ、組み立て工具も不要で組み立て、分解が極めて簡略であり、更に、軽量で運搬しやすいという効果を奏する段ボール製パーテーションを実現し提供することができる。
【０００９】
請求項２記載の考案によれば、請求項１記載の考案の主要な効果を奏し、かつ、１間口の仕切り空間を形成するように構成するものであるから、比較的少人数向けの避難用具として好適な段ボール製パーテーションを実現し提供することができる。
【００１０】
請求項３記載の考案によれば、請求項１記載の考案の主要な効果を奏し、かつ、１０間口の仕切り空間を形成するように構成したことから、例えば、１０家族向けの避難用具として好適な段ボール製パーテーションを実現し提供することができる。
【００１１】
請求項４記載の考案によれば、請求項１又は３に記載の考案の効果を奏し、かつ、各仕切り空間の共有となる壁面板材を面ファスナー分離により除去することにより、個々の間口領域の拡張が可能に構成しているので、避難居住者の家族構成に応じた変更が可能な自由度に優れた段ボール製パーテーションを実現し提供することができる。
【００１２】
請求項５記載の考案によれば、請求項１乃至４のいずれか１項に記載の考案の効果を奏し、かつ、支柱体、壁面板材間における面ファスナーの接合によって、壁面板材のロック機能を発揮させることができ、居住者のプライバシーを考慮した段ボール製パーテーションを実現し提供することができる。
【００１３】
請求項６記載の考案によれば、前記段ボール製パーテーションを、強化段ボール素材と一般段ボール素材とをもって形成することにより、請求項１乃至５に記載の考案の効果を奏することができる段ボール製パーテーションを実現し提供することができる。
【図面の簡単な説明】
【００１４】
【図１】図１は本考案の実施例に係る段ボール製パーテーション（１間口）の組み立て例を示す概略斜視図である。
【図２】図２は本実施例に係る段ボール製パーテーションの構成要素の概略一覧図である。
【図３】図３は本実施例における段ボール製の簡易パーテーションの一部を構成する強化段ボール素材の端面の概略説明図である。
【図４】図４は本実施例に係る段ボール製パーテーションの組み立て工程の説明図である。
【図５】図５は本実施例に係る段ボール製パーテーションにおける柱材、支柱材からなる支柱体の組み立て工程の説明図である。
【図６】図６は本実施例に係る段ボール製パーテーションにおける支柱体に対する壁面板材の連結組み立て工程の説明図である。
【図７】図７は本実施例に係る段ボール製パーテーション（１０間口）の完成イメージ図である。
【図８】図８は本実施例に係る段ボール製パーテーションにおいて隣り合う各仕切り空間の共有となる壁面板材の除去により個々の間口面積の拡張を図る例を示す概略説明図である。
【考案を実施するための形態】
【００１５】
本考案は、避難場所でのプライバシーを確保しつつ居住スペースの構築を実現し得る段ボール製の段ボール製パーテーションを実現し提供するという目的を、一部又は全部を強化段ボールで形成した段ボール製パーテーションであって、長方形状で短辺の一端中央から他端側に向けて差し込み凹溝穴を設けた柱材と、長方形状で短辺の一端中央から他端側に向けて差し込み凹溝穴を設けた支柱材と、を前記差し込み凹溝穴同士を十字状に嵌め合わせることで形成した所要数の支柱体と、前記柱材、支柱材各々の両長辺側に偏在する状態で、かつ、間隔をおいて表裏配置に取り付けた所要数の面ファスナーと、間隔を隔て起立状態に配置した隣り合う前記支柱体間を連結する壁面板材であって、四角形状で中央折り線部を設けるとともに、前記中央折り線部と平行な両辺部側に偏在させ、かつ、前記支柱体複数個を間隔を隔て起立状態に配置したとき、前記支柱体における柱材又は支柱材に表裏配置に取り付けた前記面ファスナーに対応する間隔、配置となる表裏配置の面ファスナーを備える壁面板材と、を有し、前記支柱体の起立配置個数、壁面板材の採用個数により、これらの個数に応じた所望個数の仕切り空間を形成する構成により実現した。
【実施例】
【００１６】
以下、図面を参照して、本考案の実施例に係る段ボール製パーテーションについて詳細に説明する。
【００１７】
図３は、本考案の実施例に係る段ボール製パーテーション１の一部又は全部に用いる強化段ボール３１の断面図であり、この段ボール製パーテーション１は、図１乃至図３に示すように、長方形状で短辺の一端中央から他端側に向けて差し込み凹溝穴２ａを設けた柱材２と、長方形状で短辺の一端中央から他端側に向けて差し込み凹溝穴３ａを設けた支柱材３と、を前記差し込み凹溝穴２ａ、３ａ同士を十字状に嵌め合わせることで形成した所要数の支柱体４と、前記柱材２、支柱材３各々の両長辺側に上部、中央部、下部に偏在する状態で、かつ、間隔をおいて表裏配置に取り付けた所要数の面ファスナー（雄）５、及び面ファスナー（雄）６と、間隔を隔て起立状態に配置した隣り合う前記支柱体４間を連結する壁面板材１１であって、四角形状でこの壁面板材１１を中央から折り込み可能とする中央折り線部１２を設けるとともに、前記中央折り線部１２と平行な両辺部側に偏在させ、かつ、前記支柱体４複数個を間隔を隔て起立状態に配置したとき、前記支柱体４における柱材２又は支柱材３に表裏配置に取り付けた前記面ファスナー（雄）５、及び面ファスナー（雄）６に対応する間隔、配置となる表裏配置の面ファスナー（雌）１３を備える壁面板材１１と、を有し、前記支柱体４の起立配置個数、壁面板材１１の採用個数により、これらの個数に応じた所望個数の仕切り空間（間口）２１を形成するように構成したものである。
【００１８】
なお、図１は、１間口の仕切り空間２１を有するように構成した段ボール製パーテーション１を代表例として示している。
【００１９】
次に、図２を参照して、本実施例に係る段ボール製パーテーション１の構成要素の使用個数の概略について説明する。
【００２０】
すなわち、図２は、１０間口分の仕切り空間２１を備える段ボール製パーテーション１Ａを構成する場合の前記柱材２、支柱材３、壁面板材１１の使用個数を示している。１０間口分の仕切り空間２１を備える段ボール製パーテーション１Ａを構成する場合、前記柱材２、及び支柱材３を各々１８個、前記壁面板材１１を２７個使用するものである。
【００２１】
前記段ボール製パーテーション１は、その各部分を、強化段ボール素材の他、強化段ボールと、一般段ボールとを用いて、これらの素材を自在に組み合わせて段ボール製パーテーション１の各部分を形成できる。
【００２２】
本実施例においては、強化段ボール（ＡＡ／１０ｍｍ等）とともに、一般段ボール（ＷＦ／８ｍｍやＡＦ／５ｍｍ等）をもって段ボール製パーテーション１を構成している。
図示する段ボール製パーテーション１においては、柱材２、支柱材３を強化段ボール（１０ｍｍ）でもって形成し、壁面板材１１を一般段ボール（８ｍｍ）で形成している。
【００２３】
但し、段ボール製パーテーション１の各部分を、強化段ボールと、一般段ボールとを如何様にも組み合わせて形成できることは勿論である。
【００２４】
図３は、本実施例における段ボール製パーテーション１を構成する強化段ボール素材の端面の概略説明図である。本実施例における段ボール製パーテーション１を構成する強化段ボール素材３１としては、図３に示すように、平板状の４枚のライナー３２と、端面が波形状の３枚の中芯３３とを、前記各中芯３３が各ライナー３２で挟まれるように重合した中芯３３を３層構造とし、厚さを１０ｍｍとした例を挙げることができる。
【００２５】
本実施例においては、強化段ボール素材３１、一般段ボール素材を用意し、図示していないがコンピュータ制御のカッタ装置又はプレス（裁断機）で裁断、加工して、前記柱材２、支柱材３、壁面板材１１を各々形成するものである。
【００２６】
次に、図４乃至図６を参照して、図１、及び図４下欄に示すような１間口分の仕切り空間２１を備える段ボール製パーテーション１を組み立てる組み立て工程について説明する。
【００２７】
この場合には、前記柱材２、支柱材３からなる支柱体４、前記壁面板材１１を４個ずつ用意し、図４上欄に示すように、前記４個の支柱体４を四角形状を呈するように起立配置し、隣り合う支柱体４間に各々４個の壁面板材１１を配置して、前記面ファスナー（雄）５、及び、面ファスナー（雄）６と、前記面ファスナー（雌）１３とを、対応配置となるもの同士接合することで図１、及び、図４下欄に示すような１間口分の仕切り空間２１を備える段ボール製パーテーション１を組み立てる。
【００２８】
図５は、支柱体４の組み立て工程を、図６は、隣り合う支柱体４間を前記壁面板材１１により連結する工程を示すものである。
【００２９】
すなわち、支柱体４を組み立てる際には、図５左欄に示すように、前記柱材２、支柱材３を１個ずつ用意し、前記柱材２の差し込み凹溝穴２ａを上向き、前記支柱材３の差し込み凹溝穴３ａを下向きとして前記差し込み凹溝穴２ａ、３ａ同士を十字状に嵌め合わせることで図５右欄に示すように１個の支柱体４の組み立てが完了する。このような組み立て操作を必要回数繰り返す。
【００３０】
また、隣り合う支柱体４間を前記壁面板材１１により連結する際には、図６に示すように、例えば、隣り合う支柱体４における支柱材３、３が対向するような場合においては、一方の支柱材３の手前側の面ファスナー（雄）６と、壁面板材１１の裏面側の面ファスナー（雌）１３とを接合するとともに、他方の支柱材３の裏側の面ファスナー（雄）６と、壁面板材１１の表面側の面ファスナー（雌）１３とを接合する。
【００３１】
これにより、図６下欄に示すように、隣り合う支柱体４間において、壁面板材１１の垂直方向の一辺側が一方の支柱体４の手前側に位置し、また、壁面板材１１の垂直方向の他辺側が他方の支柱体４の裏側に位置する状態となる。
【００３２】
なお、隣り合う支柱体４において、これらの支柱体４を起立配置する場合、前記面ファスナー（雄）５又は面ファスナー（雄）６が必ず向かって右側になるように起立することに留意することが肝要である。
【００３３】
図７は本実施例に係る段ボール製パーテーション１Ａ（１０間口）の完成イメージを示すものである。
【００３４】
この場合には。既述した場合と同様な組み立て工程の基に、前記支柱体４を１８個、前記壁面板材１１を２７個用い、これらを３列６行となる配置で合計１０間口の仕切り空間２１を有する既述した場合と同様な組み立て工程の基に、前記支柱体４を１８個、前記壁面板材１１を２７個用いものである。
【００３５】
なお、この他に既述した場合と同様な組み立て工程の基に、前記支柱体４、前記壁面板材１１の個数を更に多数用い、１５間口、２０間口、５０間口等面に大規模な段ボール製パーテーションを構成することももちろん可能である。
【００３６】
図７に示す段ボール製パーテーション１Ａにおいて、３列配置の壁面板材１１のうちの中央位置の各壁面板材１１（５個）、及び、６行配列のちの両端位置の各壁面板材１１を除く各壁面板材１１（合計８個）、すなわち総計で１３個の各壁面板材１１は隣接する仕切り空間２１の共有壁として機能する。
【００３７】
図８は本実施例に係る段ボール製パーテーション１Ａ等において、隣り合う各仕切り空間２１の共有となる壁面板材１１（共有壁）を除去することで、例えば１間口の仕切り空間２１を占有スペースが拡大した２間口分の仕切り空間２１Ａに変換して、居住性を高める応用例を示すものである。
【００３８】
また、本実施例の段ボール製パーテーション１、１Ａにおいて、前記面ファスナー（雄）５、及び面ファスナー（雄）６と、これらに対応する間隔、配置となる表裏配置の面ファスナー（雌）１３との接合は、前記壁面板材１１の中央折り線部１２による中央から折り込み可能とする機能と相俟って各間口における開閉ロック機能を発揮するものであり、居住者のプライバシー向上に資するものである。
【００３９】
以上説明した本実施例の段ボール製パーテーション１によれば、災害発生時における体育館、公民館等のような各種避難場所に緊急避難用具として任意数の間口を有する構成で設置することにより、避難場所での居住者のプライバシーを確保しつつ好適な居住スペースの効率の良い構築が可能であり、かつ、組み立て工具も不要で組み立て、分解が極めて簡略であり、更に、軽量で運搬しやすいという効果を奏するものである。
【産業上の利用可能性】
【００４０】
本考案の段ボール製パーテーションは、災害発生時における体育館、公民館等のような各種避難場所における組み立て、分解容易な簡略な間仕切り用として、また、災害発生時でなくてもオフィス、工場等における組み立て、分解容易な簡略な間仕切り用として広範に利用可能である。
【符号の説明】
【００４１】
１    段ボール製パーテーション
１Ａ  段ボール製パーテーション
２    柱材
２ａ  差し込み凹溝穴
３    支柱材
３ａ  差し込み凹溝穴
４    支柱体
５    面ファスナー（雄）
６    面ファスナー（雄）
１１    壁面板材
１２    中央折り線部
１３    面ファスナー（雌）
２１    仕切り空間
３１    強化段ボール素材
３２    ライナー
３３    中芯
【図１】
0003230507.tif 000003
【図２】
0003230507.tif 000004
【図３】
0003230507.tif 000005
【図４】
0003230507.tif 000006
【図５】
0003230507.tif 000007
【図６】
0003230507.tif 000008
【図７】
0003230507.tif 000009
【図８】
0003230507.tif 000010